(57)【要約】  【課題】  本発明は、自動製氷機を備えた冷蔵庫において、この自動製氷機を使用しない期間における庫内の有効利用を目的とするものであり、給水容器側の空間の有効利用に関する。【解決手段】本発明は、自動製氷機用の給水容器(9)を収納するために冷蔵温度帯室(3)内に設けられた第1収納部(800)と、引出トレイ(801)を収納するために前記冷蔵温度帯室(3)内に設けられた第2収納部(802)とを備える自動製氷機付き冷蔵庫において、前記引出トレイ(801)は前記第1収納部(800)にも収納可能であり、且つ、前記第２収納部(802)は前記第１収納部(800)の上部に設けられており、この第１第２収納部(800,802)を隔てる仕切り板は無く、前記引出トレイ(801)は前記第２収納部(802)に両サイドを支持されていることを特徴とする。  【選択図】  図７  
2005291692.tif 000002
【特許請求の範囲】
【請求項１】
自動製氷機用の給水容器(9)を収納するために冷蔵温度帯室(3)内に設けられた第1収納部(800)と、引出トレイ(801)を収納するために前記冷蔵温度帯室(3)内に設けられた第2収納部(802)とを備える自動製氷機付き冷蔵庫において、
前記引出トレイ(801)は前記第1収納部(800)にも収納可能であることを特徴とする冷蔵庫。
【請求項２】
自動製氷機用の給水容器(9)を収納するために冷蔵温度帯室(3)内に設けられた第1収納部(800)と、引出トレイ(801)を収納するために前記冷蔵温度帯室(3)内に設けられた第2収納部(802)とを備える自動製氷機付き冷蔵庫において、
前記引出トレイ(801)は前記第1収納部(800)にも収納可能であり、且つ、前記第２収納部(802)は前記第１収納部(800)の上部に設けられており、この第１第２収納部(800,802)を隔てる仕切り板は無く、前記引出トレイ(801)は前記第２収納部(802)に両サイドを支持されていることを特徴とする自動製氷機付き冷蔵庫。
【請求項３】
前記第１収納部(800)は、前記給水容器(9)だけではなく第２の引出トレイ(803)も収納することを特徴とする請求項１又は請求項２に記載の自動製氷機付き冷蔵庫。
【請求項４】
前記給水容器(9)は横寸法が縦寸法より長い形状であることを特徴とする請求項１〜請求項３のいずれか１項に記載の自動製氷機付き冷蔵庫。
【発明の詳細な説明】
【技術分野】
【０００１】
本発明は、自動製氷機付き冷蔵庫に関する。
【背景技術】
【０００２】
自動製氷機付きの冷蔵庫において、冬場等に自動製氷機能を使用しない場合に、自動製氷機の製氷皿を取外すものがある（特許文献１参照）。
【特許文献１】特開特開２０００−３２９４３４号公報。
【０００３】
このように、自動製氷機の製氷皿については、使用しない場合に、取り外して、収納空間を有効利用できる。
【発明の開示】
【発明が解決しようとする課題】
【０００４】
そして、給水容器も同様に取り外すことにより、この取り外したことにより、形成される空間に食品等を収納することにより、収納空間を有効利用できる。
【０００５】
本発明は、この空間の収納利便性を向上させることを目的とするものである。
【課題を解決するための手段】
【０００６】
本発明は、自動製氷機用の給水容器(9)を収納するために冷蔵温度帯室(3)内に設けられた第1収納部(800)と、引出トレイ(801)を収納するために前記冷蔵温度帯室(3)内に設けられた第2収納部(802)とを備える自動製氷機付き冷蔵庫において、前記引出トレイ(801)は前記第1収納部(800)にも収納可能であることを特徴とする。
【０００７】
また、本発明は、自動製氷機用の給水容器(9)を収納するために冷蔵温度帯室(3)内に設けられた第1収納部(800)と、引出トレイ(801)を収納するために前記冷蔵温度帯室(3)内に設けられた第2収納部(802)とを備える自動製氷機付き冷蔵庫において、前記引出トレイ(801)は前記第1収納部(800)にも収納可能であり、且つ、前記第２収納部(802)は前記第１収納部(800)の上部に設けられており、この第１第２収納部(800,802)を隔てる仕切り板は無く、前記引出トレイ(801)は前記第２収納部(802)に両サイドを支持されていることを特徴とする。
【０００８】
また、本発明は、前記第１収納部(800)は、前記給水容器(9)だけではなく第２の引出トレイ(803)も収納することを特徴とする。また、本発明は、前記給水容器(9)は横寸法が縦寸法より長い形状であることを特徴とする。
【発明の効果】
【０００９】
本発明は、給水容器(9)を取り外した収納部(800)に引出トレイ(801)を配置できるので、食品の収納利便性が向上する。
【発明を実施するための最良の形態】
【００１０】
本発明は、自動製氷機用の給水容器(9)を収納するために冷蔵温度帯室(3)内に設けられた第1収納部(800)と、引出トレイ(801)を収納するために前記冷蔵温度帯室(3)内に設けられた第2収納部(802)とを備える自動製氷機付き冷蔵庫において、前記引出トレイ(801)は前記第1収納部(800)にも収納可能であり、且つ、前記第２収納部(802)は前記第１収納部(800)の上部に設けられており、この第１第２収納部(800,802)を隔てる仕切り板は無く、前記引出トレイ(801)は前記第２収納部(802)に両サイドを支持されていることを特徴とする自動製氷機付き冷蔵庫。また、本発明は、前記第１収納部(800)は、前記給水容器(9)だけではなく第２の引出トレイ(803)も収納する。
【実施例１】
【００１１】
本発明の実施例１について説明する。
【００１２】
図１は実施例１の冷蔵庫の正面図である。図２は実施例１の冷蔵庫本体を正面から見た図である。図３，図４は実施例１の給水容器の斜視図である。
【００１３】
実施例１に係る冷蔵庫１は、複数の貯蔵室を形成し、これら各貯蔵室の前面は扉で開閉できる構成である。図１において、１０は冷蔵室扉、１２は冷凍室扉、１１は野菜室扉である。
【００１４】
図２に示すように、この冷蔵庫１は、前面開口の本体２内を区画して複数の貯蔵室を形成している。
【００１５】
貯蔵室とは、冷蔵室３、野菜室４、冷凍室５、製氷室６である。
【００１６】
自動製氷機７への製氷用水は、給水容器９から自然落下方式によって給水管５１を介して自動製氷機７の製氷皿へ供給される。
【００１７】
実施例１の給水容器９は、図４、図５に示すように横幅に比して奥行きが長い矩形状の上面開口を形成したタンク本体９Ａの上面開口を塞ぐように、タンク本体９Ａの前後左右の壁に近接または略密着状態でタンク本体９Ａ内上部に上面開口の主タンク容器９Ｂが嵌め合わされている。
【００１８】
また給水容器９は、主タンク容器９Ｂの上面開口が取り外し自在なカバー９Ｄによって閉じられている。
【００１９】
この実施例１の自動製氷機７は、冷蔵庫の前方へ取り外し可能であり、自動製氷機を使用しない季節に庫内の有効利用を図っている。
【００２０】
図２において、８００は給水容器９を収納する収納部（第１収納部）である。８０２は
給水容器９の上に配置された引出しトレイ８０１の収納部（第２収納部）である。この第１第２収納部は上下に配置され、この間を仕切るものはない。
【００２１】
このように、実施例１では、自動製氷機用の給水容器９を収納するために冷蔵温度帯室３（冷蔵室）内に設けられた第1収納部８００と、引出トレイ８０１を収納するために前記冷蔵室３内に設けられた第2収納部８０２とを備える自動製氷機付き冷蔵庫において、
引出トレイ８０１は前記第1収納部８００にも収納可能である。
【００２２】
つまり、自動製氷機用の給水容器９を収納するために冷蔵室３内に設けられた第1収納部８００と、引出トレイ８０１を収納するために前記冷蔵室３内に設けられた第2収納部８０２とを備える自動製氷機付き冷蔵庫において、前記引出トレイ８０１は前記第1収納部８００にも収納可能であり、且つ、前記第２収納部８０２は前記第１収納部８００の上部に設けられており、この第１第２収納部８００，８０２を隔てる仕切り板は無く、前記引出トレイ８０１は前記第２収納部８０２に両サイドを支持されている。また、給水容器９は横寸法が縦寸法より長い形状である。
【実施例２】
【００２３】
本発明の実施例２を図５〜図７を参照しつつ説明する。図５は、冷蔵室３の扉を外した状態の冷蔵庫の斜視図である。図６は、給水容器９の取り外しを説明する図である。図７は、自動製氷機を使用しない時のトレイ配置を説明するために冷蔵室の扉を外した冷蔵庫の正面からの図である。
【００２４】
図５において、冷蔵室３の下部には、チルド室トレイ８、給水容器９、引出しトレイ８０３と、引出しトレイ８０１が設けられている。
【００２５】
自動製氷機を使用しない場合は、図６に示すように給水容器９を外す。そして、引出しトレイ８０３も外す。このため、この給水容器９と引出しトレイ８０３を収納していた収納部８００は空の状態となる。
【００２６】
そして、引出しトレイ８０１も外し、この外した引出しトレイ８０１を、収納部８００に入れる。
【００２７】
図７は、給水容器９と引出しトレイ８０３を外し、引出しトレイ８０１を下段に移した状態を示している。図７において、８０２は、引出しトレイ８０１を収納していた収納部であり、８０２ｂはこの引出しトレイ８０１の両サイドを指示していたレール部である。
【図面の簡単な説明】
【００２８】
【図１】実施例１の冷蔵庫の正面図である。
【図２】実施例１の冷蔵庫本体を正面から見た説明図である。
【図３】実施例１の給水容器の斜視図である。
【図４】実施例１の給水容器の分解斜視図である。
【図５】実施例２の冷蔵庫の斜視図である。
【図６】実施例２の冷蔵庫の処理を説明するための図である。
【図７】実施例２の冷蔵庫の正面図である。
【符号の説明】
【００２９】
３・・・冷蔵室（冷蔵温度帯室）
７・・・自動製氷機
９・・・給水容器
８００・・収納部（第１収納部）
８０１・・引出しトレイ
８０２・・収納部（第２収納部）
８０３・・引出しトレイ（第２の引出しトレイ）
【図１】
2005291692.tif 000003
【図２】
2005291692.tif 000004
【図３】
2005291692.tif 000005
【図４】
2005291692.tif 000006
【図５】
2005291692.tif 000007
【図６】
2005291692.tif 000008
【図７】
2005291692.tif 000009